(57)【要約】      （修正有）【課題】リュックサックやバッグの収納物を整理することができるとともに、より一層薄くて軽く出し入れしやすい収納物整理具を提供する。【解決手段】収納物整理具は、板状体と、板状体の表面に縫着固定して開口部２１ａを有するポケット部２１を形成する布状体２０と、板状体の外縁部と布状体の外縁部とに巻き付けて縫着固定する帯状体３０と、板状体の裏面側に書類収納部と、を有する。板状体は、硬質の基板を少なくとも２枚を重ね合わせてなり、布状体と帯状体は、伸縮性生地からなることが好ましい。【選択図】図１
0003230557.tif 000002
【実用新案登録請求の範囲】
【請求項１】
板状体と、前記板状体の表面に縫着固定してポケット部を形成する布状体と、前記板状体の外縁部と前記布状体の外縁部とに巻き付けて縫着固定する帯状体と、前記板状体の裏面側に書類収納部と、を有することを特徴とする収納物整理具。
【請求項２】
板状体は、硬質の基板を少なくとも２枚を重ね合わせてなることを特徴とする請求項１記載の収納物整理具。
【請求項３】
布状体は、伸縮性生地からなることを特徴とする請求項１記載の収納物整理具。
【請求項４】
帯状体は、伸縮性生地からなることを特徴とする請求項１記載の収納物整理具。
【請求項５】
書類収納部は、板状体の裏面に透過性のある板材を重ね合わせ、前記板材の左辺及び下辺を帯状体によって縫着固定し、上辺及び右辺を開放してなることを特徴とする請求項１又は４のいずれか一項に記載の収納物整理具。
【請求項６】
収納物整理具は、板状体の裏面の上辺近傍に書類を挟み込んで保持する挟持部を有することを特徴とする請求項１ないし５のいずれか一項に記載の収納物整理具。
【考案の詳細な説明】
【技術分野】
【０００１】
本考案は、リュックサックやバッグの収納物を整理するための収納物整理具である。
【背景技術】
【０００２】
従来、文房具や電子機器などの収納物を整理して手提げ鞄に収納するために種々の収納物整理具が提案されており、例えば特許文献１−４は、手提げ鞄の中仕切りとして兼用とするものが開示されている。
【先行技術文献】
【特許文献】
【０００３】
【特許文献１】実用新案登録第３１３５２２５号
【特許文献２】特開平１１−２４４０２３号公報
【特許文献３】実開昭５７−１７２５２２号公報
【特許文献４】実公昭４５−２７５２６号公報
【考案の概要】
【考案が解決しようとする課題】
【０００４】
しかしながら、上述した収納物整理具は、手提げ鞄に出し入れする際に角部が手提げ鞄内部に引っ掛かってしまい、とりわけ、柔軟性のあるリュックサックやバッグ内部に対して引っ掛りやすく出し入れしにくいものであった。
【０００５】
また、近年、ノートパソコンやタブレット型情報端末の持ち運びなどに適した薄型のリュックサックやバッグが普及しており、従来の収納物整理具に比べて、マチや膨らみのない薄くて軽い収納物整理具が望まれている。
【０００６】
本考案は、上述した課題に鑑みて、リュックサックやバッグの収納物を整理することができるとともに、より一層薄くて軽く出し入れしやすい収納物整理具を提供することを目的とする。
【課題を解決するための手段】
【０００７】
本考案は、上記課題に鑑み、板状体と、前記板状体の表面に縫着固定してポケット部を形成する布状体と、前記板状体の外縁部と前記布状体の外縁部とに巻き付けて縫着固定する帯状体と、前記板状体の裏面側に書類収納部と、を有することを特徴とするものである。
【０００８】
また、上述した構成に加え、板状体は、硬質の基板を少なくとも２枚を重ね合わせてなることが好ましい。
【０００９】
また、上述した構成に加え、布状体は、伸縮性生地からなることが好ましい。
【００１０】
また、上述した構成に加え、帯状体は、伸縮性生地からなることが好ましい。
【００１１】
また、上述した構成に加え、書類収納部は、板状体の裏面に透過性のある板材を重ね合わせ、前記板材の左辺及び下辺を帯状体によって縫着固定し、上辺及び右辺を開放してなることが好ましい。
【００１２】
また、上述した構成に加え、板状体の裏面の上辺近傍に書類を挟み込んで保持する挟持部を有することが好ましい。
【考案の効果】
【００１３】
請求項１−５記載の考案によれば、収納物を整理することができるとともに、収納物整理具の外縁部全体を帯状体で覆うことによって、リュックサックやバッグ内部への引っ掛かりを防止して容易に出し入れすることが可能である。
【００１４】
請求項２記載の考案によれば、硬質の基板からなる板状体によって柔軟性のあるバッグの形状を保持することが可能である。
【００１５】
請求項３記載の考案によれば、伸縮性生地からなる布状体によってポケット部のマチや膨らみをなくすことができ、より一層薄くて軽い収納物整理具を提供することが可能である。
【００１６】
請求項４記載の考案によれば、伸縮性生地からなる帯状体によってリュックサックやバッグ内部への引っ掛かりによるキズ防止や手当たりを緩和することが可能である。
【００１７】
請求項５記載の考案によれば、硬質の基板との組み合わせによって、書類一枚からでも折り曲がることなく収納することが可能である。
【００１８】
請求項６記載の考案によれば、書類の閲覧やメモ書き用のバインダーとしても使用することが可能である。
【図面の簡単な説明】
【００１９】
【図１】本考案の実施形態に係る収納物整理具の一例を示す正面図である。
【図２】図１の背面図である。
【図３】収納物整理具の積層構造を示す図２のＡ−Ａ線拡大断面図である。
【図４】第二実施形態に係る収納物整理具を示す背面図である。
【図５】挟持部周辺の積層構造を示す図４のＢ−Ｂ線拡大断面図である。
【考案を実施するための形態】
【００２０】
本考案の実施形態に係る収納物整理具の一例について、図１−３に基づいて詳細に説明する。なお、収納物は、書類、文房具、スマートフォン、タブレット型情報端末及び付属品、鍵、財布、薬及びその他の小物である。
【００２１】
収納物整理具は、板状体１０と、板状体１０の表面に縫着固定してポケット部２１、２１を形成する布状体２０と、板状体１０の外縁部１１ａと布状体２０の外縁部２１ｂとに巻き付けて縫着固定する帯状体３０と、板状体１０の裏面側に書類収納部と、を有するものである。
【００２２】
板状体１０は、Ａ４サイズより一回り大きい方形状で硬質の基板１１、１１を少なくとも２枚を重ね合わせたものである。この基板１１、１１は、例えば、プラスチックなど合成樹脂材を主体とする軽量で薄い板材から形成される。この硬質の基板１１、１１からなる板状体１０によって、柔軟性のあるリュックサックやバッグの形状を保持することが可能である。
【００２３】
布状体２０は、収納物を板状体１０と挟み込みように保持しうる伸縮性生地であり、例えば、ポリエステル繊維からなる生地と薄いスチレン・ブタジエンゴム（SBR）を使用したゴム板とを組み合わせたウェットスーツなどに使用される生地であり、一般的な布材に比べて高い伸縮性を発揮するものが好適である。
【００２４】
ポケット部２１、２１は、板状体１０の外縁部１１ａに対して布状体２０の外縁部２１ｂの左右の両辺及び下辺に帯状体３０で巻き付けて縫着固定するとともに、布状体２０の中央付近を横方向に縫着固定し、上方に開口部２１ａを形成したものである。このポケット部２１、２１は、布状体２０の中央付近を縦方向に縫着固定して左右の２つに分割して形成する。また、このポケット部２１、２１の開口部２１ａ上方には、細長い布状体２０を板状体１０に縫着固定することで、ポケット部２１、２１の開口部２１ａから部分的に露出した収納物を押えるための蓋部２２を設けたものである。この伸縮性のあるポケット部２１、２１によって、マチや膨らみがなくとも収納物を保持することができるとともに、収納物を入れていない状態において基板１１、１１との隙間がほとんど生じずに薄い状態を維持することが可能である。
【００２５】
また、他のポケット部２１は、板状体１０の下方に設けられたものであり、布状体２０の中央付近を横方向に切り欠いて形成された開口部２１ａに線ファスナなどの開閉手段を設けたものである。
【００２６】
帯状体３０は、伸縮性生地を細長い帯状に形成したものであり、布状体２０の外縁部２１ｂから板状体１０の外縁部１１ａに渡って巻き付けうる程度の幅と、板状体１０の外縁部１１ａの全周を被覆する程度の長さと、を有する。この帯状体３０によって、板状体１０の基板１１、１１の角部に丸みを帯びさせることができ、バッグ内部への引っ掛かりによるキズ防止や手当たりを緩和することが可能である。
【００２７】
書類収納部は、板状体１０の裏面に透過性のある板材４０を重ね合わせ、板材４０の左辺及び下辺を帯状体３０によって縫着固定し、上辺及び右辺を開放してなるものである。また、この書類収納部は、板材４０の裏面側の上辺角部において、板材４０を係止するように斜め帯状の係止部４１が設けられている。
【００２８】
次に、第二実施形態について図４、５に基づいて説明する。なお、この第二実施形態において、上述した収納物整理具と共通する構成については図面に符号のみ付し説明は省略する。
【００２９】
収納物整理具は、板状体１０の裏面の上辺近傍に書類を挟み込んで保持する挟持部５０を設けたものである。この挟持部５０は、長方形状の布材に磁石５１及び補強板５２を内包し、その上辺を帯状体３０に縫着固定したものである。また、この板状体１０には、挟持部５０の磁石５１と対向する位置の板状体１０の基板１１、１１間（具体的には芯板１２内）に磁石５１を埋め込むことで、より一層挟持状態を保持することが可能である。
【００３０】
また、板状体１０は、基板１１、１１間に芯板１２を介挿することでより強度を高めたものであり、この芯板１２は、基板１１、１１とは異なる材質の素材からなり、基板１１、１１の厚みよりも厚い厚紙からなるものが好適である。
【００３１】
したがって、上述した収納物整理具は、収納物を整理することができるとともに、伸縮性生地である帯状体３０で板状体１０の外縁部１１ａ全体を覆うように縫着固定することで、収納物整理具のリュックサックやバッグ内部への引っ掛かりを防止して容易に出し入れすることが可能である。
【００３２】
また、第二実施形態の収納物整理具は、板状体１０の裏面側の上辺近傍に挟持部５０を設けることで、書類の閲覧やメモ書き用のバインダーとしても使用することが可能である。
【００３３】
上記の実施形態では本発明の好ましい実施形態を例示したが、本考案は上記の実施形態に限定されるものではなく、実用新案登録請求の範囲に記載した範囲内で改善や変更が可能である。例えば、板状体１０と布状体２０との間に起毛生地を介挿することでタブレット型情報端末やスマートフォンのなどの損傷を防止する緩衝部を設けることや、線ファスナの代わりにボタン等の開閉手段としてもよい（図示しない）。
【符号の説明】
【００３４】
１０  板状体、
１１  基板、１１ａ  外縁部、１２  芯板、
２０  布状体、
２１  ポケット部、２１ａ  開口部、２１ｂ  外縁部、２２  蓋部、
３０  帯状体、
４０  板材、４１  係止部、
５０  挟持部、５１  磁石、５２  補強板。
【図１】
0003230557.tif 000003
【図２】
0003230557.tif 000004
【図３】
0003230557.tif 000005
【図４】
0003230557.tif 000006
【図５】
0003230557.tif 000007